【事件の表示】
　平成１年特許願第２３８１０７号「画像形成装置」拒絶査定に対する審判事件（平成３年４月２６日出願公開、特開平３−１０１７７３）について、次のとおり審決する。
【結論】
　本件審判の請求は、成り立たない。
【理由】
１．［手続の経緯・本願発明の内容］
　本願は、優先権主張を伴う平成１年９月１３日（優先日、平成１年６月３０日）の出願であって、その請求項１に係る発明（以下、「本願発明」という。）は、平成８年６月７日付けの手続補正書で補正された明細書及び図面の記載からみて、特許請求の範囲の請求項１に記載された次のとおりのものと認められる。
「感光体表面を帯電手段により帯電し、この感光体表面に露光手段により静電潜像を形成し、現像手段中の現像剤担体により現像してトナー像を形成するようにした画像形成装置において、トナー像パターンを作像するパターン形成手段を設け、前記トナー像パターンの付着トナー量を検知する検知手段を設け、この検知手段の検知信号に応じてトナー補給と静電潜像の潜像条件とを可変制御する制御手段を設けたことを特徴とする画像形成装置。」
　なお、本願については、平成１０年６月２９日付け、及び平成１０年１０月２１日付けで手続補正がなされたが、これらは何れも平成１０年１１月２７日付けで却下された。
２．［引用例］
　これに対して、原査定の拒絶の理由において引用された特開昭５６−１６５１５６号公報（以下、「引用例」という。）には、
「（７）キヤリヤ粒子とトナー粒子とから成る混合現像剤を用いて、光導電性表面上に形成された静電潜像上にトナー粒子を付着させる現像装置と、光導電性表面を帯電させるコロナ発生装置とから成る型式の電子写真複写機において、光導電性表面上に第１テスト領域と第２テスト領域とを形成する手段を設け、これらのテスト領域には、前記第１テスト領域に付着するトナー粒子の密度が第２テスト領域のそれよりも大きくなるようにトナー粒子が付着されるようになっており、さらに、第１テスト領域上に付着したトナー粒子の密度に応答して混合現像剤中のトナー粒子の濃度を制御しかつ第２テスト領域に付着したトナー粒子の密度に応じて光導電性表面の帯電レベルを調節する手段を設けたことを特徴とする複写機。」（特許請求の範囲第７項参照）、
「第１図を参照すると、電子写真複写機は、導電性基板１４上に光導電性表面１２を付着したベルト１０を用いている。・・中略・・ベルト１０は、矢印の方向に移動して、光導電性表面１２の連続部分を、その移動路のまわりに配置された各種処理ステーションに順次通過させる。・・中略・・まず、ベルト１０の一部が帯電ステーションＡを通過する。帯電ステーションＡでは、コロナ発生装置２６が、光導電性表面１２を比較的高い、実質的に一様な電位に帯電させる。・・中略・・電源３２の出力が変化すると、コロナ発生装置２６が光導電性表面１２に加える帯電電圧を変化させる。本発明の制御装置は、この電源３２の電圧レベルを調節するものである。帯電量制御ループの詳細な構造について、以下第２図を参照しながら説明する。次に光導電性表面１２の帯電部分が露光ステーションＢを通過する。・・中略・・ランプ３８がこの原稿３４上に光線を瞬間的に照射する。原稿３４から反射された光線は、レンズ４０を透過して原稿の光像を形成する。レンズ４０は、この光像を光導電性表面１２の帯電部分上に合焦させてその上の電荷を選択的に消滅させる。これにより、原稿３４内に含まれた情報領域に対応して光導電性表面１２上に静電潜像が記録される。露光ステーションＢはテスト領域形成器４２を有する。テスト領域形成器４２は、２つの異なる出力レベルに電気的にプログラムされた光源から成っている。このようにして、強度の異なる２つのテスト光像が、・・中略・・光導電性表面１２の帯電部分上に投影されてテスト領域を形成する。・・中略・・静電潜像が光導電性表面１２上に形成され、テスト領域が像間領域に形成された後、ベルト１０が静電潜像及びテスト領域を現像ステーションＣに進める。現像ステーションＣでは、磁気ブラシ現像装置４４が現像材料を静電潜像及びテスト領域と接触するように移動させる。磁気ブラシ現像装置４４は、２つの磁気ブラシ現像口ーラ４６及び４８を有するのが好ましい。・・中略・・各現像ローラは、キヤリヤ粒子とトナー粒子とで構成されるブラシを形成する。静電潜像及びテスト領域は、キヤリヤ粒子からトナー粒子を引付け、その静電潜像にトナーパウダ像を形成し、上記テスト領域の各々に対応して一対の現像質量領域を形成する。・・中略・・トナー粒子分配装置５０は、トナー粒子をハウジング５２に供給するようになっており、この供給されたトナーは、後にそれぞれ現像ローラ４６及び４８により使用される。トナー分配装置５０は、・・中略・・発泡性ローラ５６が配置されてトナー粒子をオーガ６０内に分配する。オーガ６０は、内部に複数の開口を有する１つの管３０に取付けられたらせん形スプリングで構成されている。このオーガのらせん形部材は、モータ６２により回転されて、管の開口から供給されたトナー粒子をその管内部を通して送る。モータ６２の付勢は、本発明のトナー分配制御ループにより制御される。このトナー分配ループの詳細な構造については、第２図を参照しながら後述する。・・中略・・この現像されたテスト領域は、コリメート赤外線濃度計６４の真下を通過する。・・中略・・光導電性表面１２に隣接配置された上記赤外線濃度計６４は、テスト領域の現像トナー質量に比例した電気信号を発生する。これらの信号は、本発明のコントローラに送られて、そこで適当に処理される。コントローラは、次に高電圧源３２及びモータ６２を調節して、光導電性表面１２の帯電量及び混合現像剤へのトナー粒子の分配量を制御する。」（第４頁右下欄第１行〜第６頁右上欄第８行参照）、
「第２図を参照すると、制御装置の詳細が示されている。第２図に示すように、赤外線濃度計６４が現像されたテスト領域の密度を検出して、その密度を表す電気出力信号を発生する。このように、赤外線濃度計６４は、２．５エルグ／ｃｍ２の強度を有する光線により形成されたテスト領域上に付着したトナーの質量に比例した電気出力信号と、１．７エルグ／ｃｍ２の強度を有する光線から形成されたテスト領域上に付着したトナーの質量に比例する別の電気出力信号とを発生する。・・中略・・コントローラ９２は、無現像光導電性表面信号に対するテスト質量領域信号の比を形成し、それに比例する電気誤差信号を発生する。これらの比信号の１つに応じて、コントローラ９２が論理インタフェース９６を介して高電圧源３２を付勢する。・・中略・・帯電制御ループの目的は、光導電性表面１２上を実質的に安定な電荷レベルに維持することである。・・中略・・トナー分配制御ループでは、赤外線濃度計６４により発生される信号は、約１．７エルグ／ｃｍ２の強度で照射されるテスト領域の単位面積当りの現像質量に比例している。・・中略・・この信号に応答して、コントローラ９２が論理インタフェース９６を介してモータ６２を付勢する。モータ６２の付勢により、トナー分配装置５０がトナー粒子を現像剤ハウジング５２内に供給する。」（第７頁左上欄第１８行〜同頁右下欄第３行参照）、
　が図面と共に記載されており、
　これらを総合すると、引用例には、
「光導電性表面をコロナ発生装置により帯電し、この光導電性表面にランプ及びレンズにより静電潜像を形成し、現像装置中の現像ローラによりトナー粒子を付着させてトナーパウダ像を形成するようにした電子写真複写機において、光導電性表面上にテスト領域を形成する手段を設け、前記光導電性表面上に形成されたテスト領域上に付着したトナー粒子の密度を検出する赤外線濃度計を設け、この赤外線濃度計の発生するトナー粒子の密度を表す電気出力信号に応答して混合現像剤中のトナー粒子の濃度を制御しかつ光導電性表面の帯電レベルを調節する手段を設けた電子写真複写機」、
　が記載されていると認められる。
３．［対比・判断］
　そこで、本願発明と引用例に記載された発明と対比すると、
　引用例の光導電性表面、コロナ発生装置、ランプ及びレンズ、現像装置、現像ローラ、トナーパウダ像、電子写真複写機、テスト領域を形成する手段は、
　各々本願発明の感光体表面、帯電手段、露光手段、現像手段、現像剤担体、トナー像、画像形成装置、トナー像パターンを作像するパターン形成手段に相当することは明らかであり、
　また、引用例における混合現像剤中のトナー粒子の濃度を制御する事項は、コントローラが論理インタフェースを介してモータを付勢し、モータの付勢により、トナー分配装置がトナー粒子を現像剤ハウジング内に供給するものであって、本願発明のトナー補給を可変制御する制御手段に相当する構成として、
　同様に、光導電性表面の帯電レベルを調節する手段は、光導電性表面の帯電レベルが静電潜像の電位を定める要素の一つであって、静電潜像の潜像条件を可変制御する制御手段に相当する構成として理解されるから、
　両者は、表現は相違するが、
「感光体表面を帯電手段により帯電し、この感光体表面に露光手段により静電潜像を形成し、現像手段中の現像剤担体により現像してトナー像を形成するようにした画像形成装置において、トナー像パターンを作像するパターン形成手段を設け、トナー補給と静電潜像の潜像条件とを可変制御する制御手段を設けた画像形成装置」の点で一致しており、以下の点で相違している。
（相違点）
　トナー補給と静電潜像の潜像条件とを可変制御するに際し、
　本願発明は、トナー像パターンの付着トナー量を検知する検知手段を設け、この検知手段の検知信号に応じて制御しているのに対し、
　引用例は、トナー像パターンに相当する光導電性表面上に形成されたテスト領域上に付着したトナー粒子の密度を検出する赤外線濃度計を設け、この赤外線濃度計の発生するトナー粒子の密度を表す電気出力信号に応答して制御している点。
　そこで、上記相違点について検討する。
　引用例には、赤外線濃度計によりトナー付着量を検知する事項は明示されていないが、
　電子写真装置の現像能力のチェックを行うに際し、感光体表面のトナー付着量（濃度）を濃度センサにより検知し、濃度センサの検知濃度に応じた濃度信号を出力させることや、電子写真複写機の画像濃度を制御するに際し、トナー付着量を濃度センサにより検知し、この検知にもとづいてトナー補給等の制御を行うことは、原査定の拒絶の理由において引用された特開昭６０−２１７３７６号公報、特開昭５５−１２９１６号公報に記載のように周知技術であり、
　加えて、引用例の赤外線濃度計及び電気出力信号は、濃度センサ及び濃度信号として理解されるから、
　引用例の検知手段に上記周知技術を適用して上記相違点の構成を想到することに何等困難性は認められない。
　そして、本願発明の奏する作用効果として、上記引用例及び周知技術から予測される以上のものは認められない。
４．［結論］
　以上のとおりであるから、本願発明は、上記引用例及び周知技術に基づいて当業者が容易に発明することができたものと認められ、特許法第２９条第２項の規定により特許を受けることができない。
　よって、結論の通り審決する。